(57)【要約】【課題】　顧客と販売者の会話によらずに、興味をそそる態様で、対応する製品についてのすべての可能な情報を顧客に提示することができる手段を提供する。【解決手段】　製品提示設備は、スクリーンと、該スクリーンに接続されたコンピュータシステムとを備えている。このコンピュータシステムは、種々の製品についての情報を、適当な操作装置を操作することにより、格納することができ、かつスクリーン上に再生することができる。この製品提示設備は、さらに、コンピュータ内に可視的な情報が格納される少なくとも２つの異なる製品を収容するための装置と、各製品に割り当てられるスイッチ装置とを備えている。スイッチ装置は、ある製品が使用され、及び／又は取付台から取り出されたときに自動的に起動される。スイッチ装置の起動に伴って、製品についてのコンピュータからの情報がスクリーン上に再生される。【選択図】図１
2004145349.tif 000002
【特許請求の範囲】
【請求項１】
　スクリーンと、
　上記スクリーンに接続され、適切な操作装置を操作することにより、種々の製品についての情報を格納することができるとともに、上記スクリーン上に再生することができるようになっているコンピュータシステムと、
　可視的な情報がコンピュータ内に格納されている少なくとも２つの異なる製品を収容する装置と、
　各製品に割り当てられるスイッチ装置とを備えている製品提示設備であって、
　ある製品が使用され、及び／又は、ハウジングから取り出されたときに、上記スイッチ装置が自動的に起動され、スイッチ装置の起動に伴って、コンピュータからの製品についての情報（モデルの指定、技術データ、価格）が上記スクリーン上に自動的に再生され、
　上記製品が電子音響装置をあらわし、かつ該設備が、電子音響装置の起動のための及び／又は適切なテストのための手段を備えている製品提示設備。
【請求項２】
　使用される製品についてのさらなる情報を、上記操作装置の操作により呼び出すことができることを特徴とする、請求項１に記載の製品提示設備。
【請求項３】
　上記製品がヘッドホンであり、かつ該設備が上記ヘッドホンに音声信号を伝送する手段を備えていることを特徴とする、請求項１又は２に記載の製品提示設備。
【請求項４】
　該設備が、複数の音データ源を備えていて、ヘッドホンを介しての再生のためのそれぞれの所望の音データ源を、上記操作装置の設定により選択することができることを特徴とする、請求項３に記載の製品提示設備。
【請求項５】
　上記スクリーンがタッチスクリーンであることを特徴とする、請求項１〜４のいずれか１つに記載の製品提示設備。
【請求項６】
　製品供給者のインターネットページへの接続を、上記操作装置を操作することにより行うことができることを特徴とする、請求項１〜５のいずれか１つに記載の製品提示設備。
【請求項７】
　上記スイッチ装置が赤外線式スイッチ装置であって、これにより取付台からの製品の取り出しを記録することができることを特徴とする、請求項１〜６のいずれか１つに記載の製品提示設備。
【請求項８】
　上記スイッチ装置が、上記製品が取付台中にあるときには「オフ」ポジションに移動させられ、上記製品が取付台から取り外されたときには「オン」ポジションに移動させられる機械式スイッチであることを特徴とする、請求項１〜７のいずれか１つに記載の製品提示設備。
【発明の詳細な説明】
【技術分野】
【０００１】
　本発明は、製品提示設備（product presentation equipment）に関するものである。
【背景技術】
【０００２】
　多年にわたり、製品を販売するときには、販売相談が、顧客によって実際に大いに重視される傾向があるが、大抵の場合、これを販売員によって行うことはできない。これは、販売される製品が比較的複雑であり、販売員はその製品についての適切な知識を有しないからであり、また、販売員は非常に多数の顧客に遭遇するので、少数の顧客にしか相談にのることができないからである。
【発明の開示】
【発明が解決しようとする課題】
【０００３】
　最終的に、この状況は、基本的には顧客に不満をもたせる結果となり、顧客に不満をもたせることは、所望の販売を達成することができなくなるということを意味する。
【０００４】
　本発明の目的は、顧客と販売者との間での販売の会話を他のものに大幅に置き換え、これと同時に、興味をそそる態様で、対応する製品についてのすべての可能な情報を顧客に提供することである。この場合、顧客が長ったらしい操作の指示を読むことなく、製品の品質及び特徴を実質的にチェックすることができるものでなければならない。
【課題を解決するための手段】
【０００５】
　上記の目的は、請求項１に記載の特徴を有する本発明にかかる製品提示設備によって達成される。さらなる発展形は、下位の請求項に記載されている。
【０００６】
　本発明にかかる製品提示システムないしは設備は、売り台（counter）、例えば、ヘッドホン、マイクロホンなどの電子音響器具（electroacoustic appliance）の製造者の製品パレット（product palette）のような態様の、いくつかの製品のための仮想的な（virtually）取付台（mounting）を備えているといった事実により区別される。
【０００７】
　本発明にかかる設備はまた、コンピュータに接続されたスクリーン、好ましくはタッチスクリーンも備えている。このコンピュータには、製品に特有の情報及び所望の顧客情報が格納されている。これらの情報は、ユーザにより、又は適当な操作装置の操作で自動的に呼び出すことができる。
【０００８】
　この場合、製品は、センサを伴った取付台内に収容され、これにより、各個の取付台に割り当てられた製品が取付台内に存在するか否かを登録する（register）。
【０００９】
　もし、例えば顧客があるヘッドホン製造者の種々のヘッドホンについての情報を得ることを望めば、この製造者の種々のヘッドホンが製品取付台に格納される。とくに、ヘッドホンについての視覚化できる（visualisable）情報が、スクリーンを介して表示されることができ、このスクリーンの上に、顧客による製品提示設備の操作に適切でありかつ役立つ情報を提供することも可能である。
【００１０】
　さらに、上記の具体例においては、少なくとも１つの音データ信号源（sound data signal source）が設けられ、これによりヘッドホンについての音データが、顧客にとって可聴な態様で再生されることができる。これにより、顧客は、操作を介して該顧客が望む音楽形態の音楽の項目（item）を選択することができる。
【００１１】
　各場合において、ヘッドホンは取付台内にあり、各取付台は、機械仕様（design）、又は非機械仕様、例えば電気仕様又は光学仕様であることができるスイッチを有している。ヘッドホン（ワイヤレス又はワイヤ接続）が取付台内に存在する限り、スイッチは「オフ」ポジションにある。ヘッドホンが取付台から取り出されれば、直ちにそれは「オン」ポジションとなる。
【００１２】
　「オン」ポジションにあるときには、少なくともある程度は、各製品に割り当てられたスクリーン上のデータは、スイッチに接続された制御機構を介して自動的に提供される。この情報は、例えば、モデルタイプの指定と、製品価格などといった各製品についての一般的な情報とを含む。いわゆるコンテンツ管理（content management）を有するシステムは、製品提示設備の操作者が、例えば各店舗の価格、又は所望の態様におけるその他の個々の情報を入力するのを可能にする。
【００１３】
　ユーザはまた、いくつかの情報ページを介してインターネットページ（Internet page）などの操作装置の適切な使用により、案内（guide）されてもよい。そして、ユーザはまた、操作装置の適切な操作により、所望の値で、音の強さ（loudnesss）、バランス（balance）、音（sound）などの種々の音データ信号パラメータを設定する機会をもつ。
【００１４】
　もし、各ヘッドホンがそれらの取付台にもどされれば、すべての設定された音信号パラメータはそれらの最初のポジション（position）にもどされる。そして、ある環境下においては、音信号パラメータの最初のポジションを達成する時間回路（time circuit）にそれらを接続することも合理的である。もし、予め決められた期間、例えば３０又は６０秒の後、他のヘッドホンが取付台から取り出されなければ、顧客が第１のヘッドホンの後に第２のヘッドホンを取り出したような場合、その者は前もって調整された音信号データパラメータでもって第２のヘッドホンを介して聞くことができる。
【００１５】
　本発明にかかる製品提示設備の最初の状態においては、顧客は、スクリーンを介して、製品、例えばヘッドホンをつけることを求められる。もちろん、適当な情報分野を選択することにより、顧客はまた、タッチスクリーンを操作することにより、直接特定のヘッドホン製品についての情報を選択してもよい。
【００１６】
　もし顧客が、「オン」ポジションにおいて、スイッチを搭載しているヘッドホンをつければ、さらにこれに対して、例えば、その者はスクリーン上の３つの異なるボタンを操作する機会をもつ。ここで、一般的な製品情報は、第１のボタンに割り当てられる。ヘッドホンの特別の特徴は第２のボタンに割り当てられる。ヘッドホンについての精密な技術データは第３のボタンに割り当てられる。そして、各ボタンを押圧することにより、対応する情報コンテンツがスクリーン上に再生される。
【００１７】
　同時に、このシステムのユーザはまた、例えば、製品供給者のインターネットページで、一般的には供給者自身について、及びその製品についても、操作装置の代替的な操作で、情報を得ることもできる。
【発明を実施するための最良の形態】
【００１８】
　図１は、本発明にかかる製品提示システムを示す図である。
　ここで、複数のヘッドホンの集合のための取付台が、どのようにしてほぼ半円形のフレーム上に構成されているかをみることができる。ヘッドホンはケーブル接続型又はワイヤレス型であり、ベースステーション（base station）に接続されている。ベースステーションは、再び順にフレーム（frame）に固定され、これにより各ヘッドホンは取付台に配置されたときに、ベースステーション内にきて、この後ヘッドホンのバッテリが対応して充電されることができる。
【００１９】
　さらに、これにより音信号データがヘッドホンに伝送されることができる、対応するワイヤレス信号接続（例えば、ＨＦ又は赤外線）が、ワイヤレスヘッドホンと、対応するベースステーションとの間に存在する。
【００２０】
　さらなる例示的な実施の形態によれば、製品提示設備は、スクリーンと、該スクリーンに接続されたコンピュータシステムとを備えている。このコンピュータシステムは、種々の製品についての情報を、適当な操作装置（operating device）を操作することにより、格納することができ、かつスクリーン上に再生することができる。この製品提示設備は、コンピュータ内に可視的な情報が格納される少なくとも２つの異なる製品を収容するための装置と、各製品に割り当てられるスイッチ装置（switching device）とを備えている。ここで、スイッチ装置は、ある製品が使用され、及び／又は取付台から取り出されたときに自動的に起動（activate）される。かくして、スイッチ装置の起動（activation）に伴って、製品についてのコンピュータからの情報（モデルの指定、技術データ、価格）がスクリーン上に再生される。
【図面の簡単な説明】
【００２１】
【図１】本発明にかかる製品提示システムを示す図である。
【図１】
2004145349.tif 000003
【外国語明細書】
2004145349.tif 000004
2004145349.tif 000005
2004145349.tif 000006
2004145349.tif 000007
2004145349.tif 000008
2004145349.tif 000009
2004145349.tif 000010
2004145349.tif 000011
2004145349.tif 000012
2004145349.tif 000013